【手続補正書】
【提出日】平成18年2月28日(2006.2.28)
【手続補正１】
【補正対象書類名】明細書
【補正対象項目名】発明の名称
【補正方法】変更
【補正の内容】
【発明の名称】画像形成装置、及び画像形成方法
【手続補正２】
【補正対象書類名】明細書
【補正対象項目名】特許請求の範囲
【補正方法】変更
【補正の内容】
【特許請求の範囲】
【請求項１】  トナー像が形成される回動自在な感光体と、前記感光体上の前記トナー像が１次転写され、１次転写されたトナー像を転写材へ２次転写する回動自在な中間転写体であって、該中間転写体上の周方向の位置を示す複数の基準マークが記された中間転写体と、前記中間転写体上の基準マークを検知する検知手段とを備えた画像形成装置において、
画像形成可能な状態になった時点から前記検知手段により検知された最初の基準マークに基づいてトナー像形成開始時機を設定する第１の設定手段と、
前記第１の設定手段により設定されたトナー像形成開始時機に基づいて前記感光体、及び中間転写体上にトナー像を形成するトナー像形成手段と、
前記トナー像形成手段によりトナー像形成が開始された後は、前記最初の基準マーク以外の他の基準マークが前記検知手段により検知されても該他の基準マークを無効処理するための無効処理時間を設定する第２の設定手段と、
を有することを特徴とする画像形成装置。
【請求項２】  前記第２の設定手段は、前記最初の基準マークが検知された後、前記中間転写体の１周分の時間が経過する直前までの時間を前記無効処理時間として設定することを特徴とする請求項１に記載の画像処理装置。
【請求項３】  前記第２の設定手段は、前記中間転写体にＮ個の基準マークが記されている場合に、前記最初の基準マークが検知された後、N個の基準マークが検知されるまでの時間を前記無効処理時間として設定することを特徴とする請求項１に記載の画像処理装置。
【請求項４】  前記第１の設定手段は、前記トナー像形成手段により前記中間転写体上に白黒画像に係る１つの面のトナー像を形成する場合は、前記検知手段により前記最初の基準マークが検知される毎に、トナー像形成開始時機を設定することを特徴とする請求項１〜３の何れかに記載の画像形成装置。
【請求項５】  前記第１の設定手段は、前記トナー像形成手段により前記中間転写体上に白黒画像に係る複数面のトナー像を形成する場合は、前記検知手段により前記最初の基準マークが検知される毎に、複数面に係る複数のトナー像形成開始時機を設定することを特徴とする請求項１〜３の何れかに記載の画像形成装置。
【請求項６】  前記第１の設定手段は、前記トナー像形成手段により前記中間転写体上にカラー画像に係る１つの面のトナー像を形成する場合は、前記検知手段により前記最初の基準マークが検知される毎に、該カラー画像を構成する各色のトナー像形成開始時機を１色分ずつ順次設定することを特徴とする請求項１〜３の何れかに記載の画像形成装置。
【請求項７】  前記第１の設定手段は、前記トナー像形成手段により前記中間転写体上にカラー画像に係る複数面のトナー像を形成する場合は、前記検知手段により前記最初の基準マークが検知される毎に、該カラー画像を構成する１つの色の複数面に係るトナー像形成開始時機を順次設定することを特徴とする請求項１〜３の何れかに記載の画像形成装置。
【請求項８】  トナー像が形成される回動自在な感光体と、前記感光体上の前記トナー像が１次転写され、１次転写されたトナー像を転写材へ２次転写する回動自在な中間転写体であって、該中間転写体上の周方向の位置を示す複数の基準マークが記された中間転写体と、前記中間転写体上の基準マークを検知する検知手段とを用いて画像を形成する画像形成方法において、
画像形成可能な状態になった時点から前記検知手段により検知された最初の基準マークに基づいてトナー像形成開始時機を設定してトナー像形成処理を開始し、前記中間転写体の１周分の１次転写終了後の次のトナー像形成処理においては、先のトナー像形成処理における該中間転写体への１次転写が全て終了した時点から最初に検知された基準マークに基づいてトナー像形成開始時機を設定してトナー像形成処理を開始することを特徴とする画像形成方法。
【請求項９】  前記中間転写体にＮ個の基準マークが記されている場合において、該N個の基準マークは、先のトナー像形成処理における該中間転写体への１次転写が全て終了した時点では、前記先のトナー像形成処理に係る最初の基準マークが検知された後に既にＮ個の基準マークが検知されるように記されていることを特徴とする請求項８に記載の画像形成方法。
【請求項１０】  前記トナー像形成開始時機は、前記中間転写体上に白黒画像に係る１つの面のトナー像を形成する場合は、前記検知手段により前記最初の基準マークが検知される毎に設定されることを特徴とする請求項８又は９に記載の画像形成方法。
【請求項１１】  前記トナー像形成開始時機としては、前記中間転写体上に白黒画像に係る複数面のトナー像を形成する場合は、前記検知手段により前記最初の基準マークが検知される毎に、複数面に係る複数のトナー像形成開始時機が設定されることを特徴とする請求項８又は９に記載の画像形成方法。
【請求項１２】  前記トナー像形成開始時機としては、前記中間転写体上にカラー画像に係る１つの面のトナー像を形成する場合は、前記検知手段により前記最初の基準マークが検知される毎に、該カラー画像を構成する各色のトナー像形成開始時機が１色分ずつ順次設定されることを特徴とする請求項８又は９に記載の画像形成方法。
【請求項１３】  前記トナー像形成開始時機としては、前記中間転写体上にカラー画像に係る複数面のトナー像を形成する場合は、前記検知手段により前記最初の基準マークが検知される毎に、該カラー画像を構成する１つの色の複数面に係るトナー像形成開始時機が順次設定されることを特徴とする請求項８又は９に記載の画像形成方法。
【手続補正３】
【補正対象書類名】明細書
【補正対象項目名】００９３
【補正方法】削除
【補正の内容】
【手続補正４】
【補正対象書類名】明細書
【補正対象項目名】００９４
【補正方法】削除
【補正の内容】
【手続補正５】
【補正対象書類名】明細書
【補正対象項目名】００９５
【補正方法】削除
【補正の内容】
【手続補正６】
【補正対象書類名】明細書
【補正対象項目名】００９６
【補正方法】削除
【補正の内容】
【手続補正７】
【補正対象書類名】明細書
【補正対象項目名】００９７
【補正方法】削除
【補正の内容】
【手続補正８】
【補正対象書類名】明細書
【補正対象項目名】００９８
【補正方法】削除
【補正の内容】
【手続補正９】
【補正対象書類名】明細書
【補正対象項目名】００９９
【補正方法】削除
【補正の内容】
【手続補正１０】
【補正対象書類名】明細書
【補正対象項目名】０１００
【補正方法】削除
【補正の内容】
【手続補正１１】
【補正対象書類名】明細書
【補正対象項目名】０１０１
【補正方法】削除
【補正の内容】
【手続補正１２】
【補正対象書類名】明細書
【補正対象項目名】０１０２
【補正方法】削除
【補正の内容】
【手続補正１３】
【補正対象書類名】明細書
【補正対象項目名】０１０３
【補正方法】削除
【補正の内容】
【手続補正１４】
【補正対象書類名】明細書
【補正対象項目名】０１０４
【補正方法】削除
【補正の内容】
【手続補正１５】
【補正対象書類名】明細書
【補正対象項目名】０１０５
【補正方法】削除
【補正の内容】
【手続補正１６】
【補正対象書類名】明細書
【補正対象項目名】０１０６
【補正方法】削除
【補正の内容】
【手続補正１７】
【補正対象書類名】明細書
【補正対象項目名】０１０７
【補正方法】削除
【補正の内容】
【手続補正１８】
【補正対象書類名】明細書
【補正対象項目名】０１０８
【補正方法】削除
【補正の内容】